(57)【特許請求の範囲】
【請求項１】
眼鏡フロント枠（１）の左右両端にそれぞれ配設したエンドピース（２）の先端側に駒片（21）を設ける一方、テンプル（３）の基端側に相方駒片（31）を設け、これら駒片（21）及び相方駒片（31）を枢軸（４）により回動自在に、かつ、枢動以外の自由度を有しない状態でヒンジ連結して構成される眼鏡の蝶番構造であって、
前記エンドピース（２）の内側面において、弾性線材が弓形に弯曲され、かつ、その先端部がＵ字型に折り返されて折返先端部（51）が形成されたアーム部材（５）が接合されている一方、この折返先端部（51）は前記両駒部品近傍に配置されているとともに、
前記テンプル（３）の相方駒片（31）には、枢支孔（31ａ）よりも先端側に、鉤状に屈曲成形したフック部（32）が設けられており、
テンプル（３）の拡開時には、フック部（32）の内側面が前記アーム部材（５）の折返先端部（51）の内側面に係止しつゝ押圧して、当該アーム部材（５）の曲げ弾性力によって前記テンプル（３）を折り畳み方向に付勢可能である一方、
テンプル(３)の折り畳み時には、前記フック部(32)がアーム部材(５)の内側をアーム部材（５）に触れずに回動することを特徴とする眼鏡のバネ蝶番機構。
【請求項２】
アーム部材（５）が上下に平行な一対の弾性線材からなり、かつ、これら折返先端部（51・51）同士を連結する架橋部（51ａ）が設けられており、この架橋部（51ａ）にフック部（32）の内側面が係止しつゝ押圧することを特徴とする請求項１記載の眼鏡のバネ蝶番機構。
【請求項３】
アーム部材（５）が、エンドピース（２）の駒片（21）の基端部近傍から一体に持出成形されていることを特徴とする請求項１または２記載の眼鏡のバネ蝶番機構。
【請求項４】
エンドピース（２）の内側面にアーム部材（５）をロウ付け接合したことを特徴とする請求項１または２記載の眼鏡のバネ蝶番機構。
【発明の詳細な説明】
【技術分野】
【０００１】
本発明は、眼鏡の改良、更に詳しくは、簡素な構造で、付勢部材同士が係合して外れ難く弾性力を確実に伝達することができ、しかも、弾性線材の反復変形による金属疲労を防止して耐久性を向上することができる眼鏡のバネ蝶番機構に関するものである。
【背景技術】
【０００２】
眼鏡を脱着しようとする際、不可避的にテンプルの自由端側が外側に無理に拡開される傾向があり、それが原因となって当該テンプルの基端部分に大きな力が加わり、眼鏡フレームの故障や変形が起こり易かった。
【０００３】
従来、このような弊害を除去するための提案としては、フロント枠とテンプルとをヒンジ連結する蝶番の一方の蝶番駒部品を、テンプル基端部に内装したコイルバネにより弾性的に進退動可能に構成した所謂「バネ蝶番」が存在する（例えば、特許文献１参照）。
【０００４】
しかしながら、このバネ蝶番は、概して構造が複雑であり、しかもその構成部品が微小であるので、頻繁なテンプル開閉操作によって構成する各部品が摩耗し、直ぐにこの外側拡開動作が甘くなったり、あるいは逆に、装着者の汗や皮脂等が蝶番機構内部に浸透してバネ等を腐食してしまい、テンプルが外側に拡開したまま元に戻りにくくなったりすることがあった。
【０００５】
そして、このような故障が生じた場合、バネ蝶番を交換する必要があるのであるが、従来のバネ蝶番は、前述したように構造が複雑であったためにその交換作業が非常に面倒で技巧を要するものであり、また、構成部品が微小で数も多いことからどうしてもコストが高くなってしまうという不満があった。
【先行技術文献】
【特許文献】
【０００６】
【特許文献１】特開２００１−２９０１０８号公報（第３−５頁、図１）
【発明の概要】
【発明が解決しようとする課題】
【０００７】
本発明は、従来の眼鏡に上記のような問題があったことに鑑みて為されたものであり、その目的とするところは、簡素な構造で、付勢部材同士が係合して外れ難く弾性力を確実に伝達することができ、しかも、弾性線材の反復変形による金属疲労を防止して耐久性を向上することができる眼鏡のバネ蝶番機構を提供することにある。
【課題を解決するための手段】
【０００８】
本発明者が上記課題を解決するために採用した手段を添付図面を参照して説明すれば次のとおりである。
【０００９】
即ち、本発明は、眼鏡フロント枠１の左右両端にそれぞれ配設したエンドピース２の先端側に駒片21を設ける一方、テンプル３の基端側に相方駒片31を設け、これら駒片21及び相方駒片31を枢軸４により回動自在に、かつ、枢動以外の自由度を有しない状態でヒンジ連結して構成される眼鏡の蝶番構造であって、
前記エンドピース２の内側面において、弾性線材が弓形に弯曲され、かつ、その先端部がＵ字型に折り返されて折返先端部51が形成されたアーム部材５を接合する一方、この折返先端部51を前記両駒部品近傍に配置するとともに、
前記テンプル３の相方駒片31には、枢支孔31ａよりも先端側に、鉤状に屈曲成形したフック部32を設けて、
テンプル３の拡開時には、フック部32の内側面が前記アーム部材５の折返先端部51の内側面に係止しつゝ押圧して、当該アーム部材５の曲げ弾性力によって前記テンプル３を折り畳み方向に付勢可能にする一方、
テンプル３の折り畳み時には、前記フック部32がアーム部材５の内側をアーム部材５に触れずに回動するように構成したことによって、眼鏡のバネ蝶番機構を完成させた。
【００１０】
また、本発明は、上記課題を解決するために、必要に応じて上記手段に加え、アーム部材５を上下に平行な一対の弾性線材にして、かつ、これら折返先端部51・51同士を連結する架橋部51ａを設け、この架橋部51ａにフック部32の内側面が係止しつゝ押圧するようにするという技術的手段を採用した。
【００１１】
更にまた、本発明は、上記課題を解決するために、必要に応じて上記手段に加え、アーム部材５を、エンドピース２の駒片21の基端部近傍から一体に持出成形するという技術的手段を採用した。
【００１２】
更にまた、本発明は、上記課題を解決するために、必要に応じて上記手段に加え、エンドピース２の内側面にアーム部材５をロウ付け接合するという技術的手段を採用した。
【発明の効果】
【００１３】
本発明にあっては、眼鏡フロント枠の左右両端にそれぞれ配設したエンドピースの先端側に駒片を設ける一方、テンプルの基端側に相方駒片を設け、これら両駒部品を枢軸により回動自在にヒンジ連結して構成される眼鏡の蝶番構造であって、
前記エンドピースの内側面において、弾性線材を弓形に弯曲して、かつ、その先端部をＵ字型に折り返して折返先端部を形成したアーム部材を接合する一方、この折返先端部を前記両駒部品近傍に配置するとともに、
前記テンプルの相方駒片には、枢支孔よりも先端側に、鉤状に屈曲成形したフック部を設け、テンプルの拡開時には、フック部の内側面を前記アーム部材の折返先端部の内側面に係止しつゝ押圧して、当該アーム部材の曲げ弾性力によって前記テンプルを折り畳み方向に付勢することができる。
【００１４】
したがって、本発明のバネ蝶番機構によれば、簡素な構造で、付勢部材同士が係合して外れ難く弾性力を確実に伝達することができ、しかも、弾性線材の反復変形による金属疲労を防止して耐久性を向上することができることから、眼鏡における実用的利用価値は頗る高いものがあると云える。
【図面の簡単な説明】
【００１５】
【図１】本発明の実施形態の眼鏡を表わす全体斜視図である。
【図２】本発明の実施形態の蝶番機構を表わす拡大分解斜視図である。
【図３】本発明の実施形態の蝶番機構を表わす上面図である。
【図４】本発明の実施形態の蝶番機構を表わす上面図である。
【図５】本発明の実施形態の蝶番機構の変形例を表わす上面図である。
【発明を実施するための形態】
【００１６】
本発明を実施するための形態を、具体的に図示した図面に基づいて更に詳細に説明すると、次のとおりである。
【００１７】
本発明の実施形態を図１から図５に基づいて説明する。図１中、符号１で指示するものは眼鏡フロント枠であり、この眼鏡フロント枠１は、図示したような一対のレンズを止着可能なリムがブリッジにより左右対称に連結されて成るフルリムタイプのものや、ハーフリムタイプ、リムレスタイプなどを採用することができる。
【００１８】
また、符号２で指示するものはエンドピースであり、このエンドピース２は、前記眼鏡フロント枠１の左右両端にそれぞれ配設されている。
【００１９】
更にまた、符号３で指示するものはテンプルであり、このテンプル３は、前記エンドピース２の先端部に配設される耳掛け可能な長手部材である。
【００２０】
更にまた、符号４で指示するものは枢軸であり、この枢軸４は、本実施形態では、ネジ山を有する螺合部材を採用するが、これに限らず、リベット状のものであっても良い。
【００２１】
更にまた、符号５で指示するものはアーム部材であり、弾性を有する材料（本実施形態では、β−チタン）を弯曲したアーム状に成形したものである。本実施形態では、金型を用いた射出成形や、注型、冶金などにより直接成形するものであっても良いし、一旦、棒状のものを成形した後に曲げ加工を行うものであっても良い。
【００２２】
しかして、本実施形態における眼鏡の蝶番構造を構成するにあっては、まず、眼鏡フロント枠１の左右両端にそれぞれ配設したエンドピース２の先端側に駒片21を設ける。本実施形態では、この駒片21として、２枚駒（雌駒）を形成する。
【００２３】
次いで、テンプル３の基端側に、前記駒片21に組み合わされる相方駒片31を設ける。本実施形態では、この相方駒片31として、１枚駒（雄駒）を形成する。そして、これら両駒部品を枢軸４により回動自在にヒンジ連結する。本実施形態では、この枢軸４をネジ部材にして、ヒンジ孔21ａおよび枢支孔31ａの内周面に刻設されたネジ山に螺合するように構成する。
【００２４】
そして、前記エンドピース２の内側面において、アーム部材５を接合する。このアーム部材５は、弾性線材を弓形に弯曲させた弓形弯曲部52を形成しており、かつ、その先端部をＵ字型に折り返して折返先端部51を形成する。この際、この折返先端部51が前記両駒部品近傍になるように配置する。
【００２５】
本実施形態では、アーム部材５を上下に平行な一対の弾性線材にして、かつ、これら折返先端部51・51同士を連結する架橋部51ａを設ける。
【００２６】
本実施形態では、アーム部材５を、エンドピース２の駒片21の基端部近傍から一体に持出成形することができ、製造コストを削減することもできる。
【００２７】
また、前記テンプル３の相方駒片31には、枢支孔31ａよりも先端側に、鉤状に屈曲成形したフック部32を設ける（図３参照）。
【００２８】
そして、テンプル３の拡開時には、図４に示すように、フック部32の内側面が前記アーム部材５の折返先端部51の内側面（架橋部51ａ）に係止しつゝ押圧して、当該アーム部材５の曲げ弾性力によって前記テンプル３を折り畳み方向に付勢することができる。このように構成したことにより、付勢部材同士が係合して外れ難く弾性力を確実に伝達することができる。
【００２９】
また、弓形弯曲部52の弾性変形と、折返先端部51の弾性変形とが相俟って、適度な弾性力を呈することができるとともに、弾性線材の反復変形による金属疲労を防止して耐久性を向上することができるのである。
【００３０】
本発明は、概ね上記のように構成されるが、図示の実施形態に限定されるものでは決してなく、「特許請求の範囲」の記載内において種々の変更が可能であって、例えば、アーム部材５は、エンドピース２の駒片21の基端部近傍から一体に持出成形するものに限らず、エンドピース２の内側面にロウ付け接合することもできる（図５参照）。
【００３１】
また、駒片21と相方駒片31の雌雄は逆の組み合わせであっても良いし、３枚駒に限らず５枚駒であっても良い。
【００３２】
更にまた、アーム部材５の使用材料は、弾性材料であれば、ニッケル・チタン系超弾性合金やステンレス、プラスチックなどを採用することもでき、これら何れのものも本発明の技術的範囲に属する。
【符号の説明】
【００３３】
１    眼鏡フロント枠
２    エンドピース
21    駒片
21ａ  ヒンジ孔
３    テンプル
31    相方駒片
31ａ  枢支孔
32    フック部
４    枢軸
５    アーム部材
51    折返先端部
51ａ  架橋部
52    弓形弯曲部
【図１】
0005222910.tif 000002
【図２】
0005222910.tif 000003
【図３】
0005222910.tif 000004
【図４】
0005222910.tif 000005
【図５】
0005222910.tif 000006